(57)【特許請求の範囲】
【請求項１】
下部に開口面を形成した筐体と、
該筐体内部に配設される誘虫灯と、
を備え、
下部から上部に向かうにつれて狭くなる案内通路を前記筐体内に形成し、
前記案内通路上部に吸引力を作用させる吸引手段を配設するとともに、
前記案内通路上部と前記吸引手段との間に形成される吸引通路に捕虫部を配設し、
前記捕虫部は、前記吸引通路との接続部を閉方向に付勢されていることを特徴とする捕虫具。
【請求項２】
前記誘虫灯からの誘虫光の透過を許容しつつ、前記誘虫灯と前記開口面とを隔絶するように前記筐体内部を仕切る仕切部をさらに備え、
前記案内通路を前記仕切部によって前記筐体内に形成することを特徴とする請求項１に記載の捕虫具。
【請求項３】
前記案内通路上部と前記捕虫部との間には、前記吸引通路を高さ方向に縮小させる連通部が前記筐体の幅方向に亘り形成されていることを特徴とする請求項１または請求項２に記載の捕虫具。
【請求項４】
前記捕虫部は、前記筐体外部に連結する連結路に接続され、
該連結路は、その端部を閉方向に付勢され、前記筐体外部の吸引装置と接続可能とされていることを特徴とする請求項１から請求項３のいずれかに記載の捕虫具。
【発明の詳細な説明】
【技術分野】
【０００１】
本発明は、誘虫灯を用いて虫を捕獲する構造の捕虫具であり、特に、郊外の店舗や建屋に好適な捕虫具である。
【背景技術】
【０００２】
飲食店やレストラン、コンビニエンスストアといった店舗、また、工場やホテルといった建屋には、夜間照明により昆虫が寄ってきて、入口から人の出入りとともに内部に進入することがある。特に、郊外の店舗や建家においては顕著である。
この対策として、例えば特許文献１に示すように、ルーフの下部器体に電撃機器を設けた電撃式の殺虫器が知られている。
【特許文献１】特開平７−２８９１３７号公報
【発明の開示】
【発明が解決しようとする課題】
【０００３】
しかしながら、上述した電撃式の殺虫器は、高圧を使用するために取扱いに専門知識が必要であり、落下した虫が散乱すると衛生上の問題も生じる。また、電撃式の殺虫器は、複数の電撃バーに高圧を印加するため、各電撃バー同士の間隔を一定以上に保つ必要がある。その結果、上述の間隔よりも小さい虫は電撃バーをすり抜けてしまい、殺虫できない場合がある。
これに対し、屋外で使用する目的で誘虫灯を取り付けて、誘引光により近づいてきた虫を吸引手段により吸引して捕獲する捕虫器も検討されている。
【０００４】
ただし、単に誘虫灯を用いる構成とすると、誘虫灯からの光が遠方の虫を呼び寄せてしまい、捕虫器を取り付けた店舗に進入する虫が却って増加しかねない。
また、誘虫灯に近づいてきた虫を捕獲するためには、広範囲に渡り吸引力を作用させる必要があるので、設備が大型化したり電力消費が増大する点で改善の余地がある。更に、単に屋外で使用する捕虫器を、軒下等に設置するには形状やデザイン上の問題がある。
本発明は、遠方からの虫を呼び寄せず、対象範囲に存在する虫を効率的に捕獲可能として、小型かつ省電力な捕虫具を提供することを目的とする。
【課題を解決するための手段】
【０００５】
請求項１に係る発明は、下部に開口面を形成した筐体と、該筐体内部に配設される誘虫灯と、を備え、下部から上部に向かうにつれて狭くなる案内通路を前記筐体内に形成し、前記案内通路上部に吸引力を作用させる吸引手段を配設するとともに、前記案内通路上部と前記吸引手段との間に形成される吸引通路に捕虫部を配設し、前記捕虫部は、前記吸引通路との接続部を閉方向に付勢されていることを特徴とする。
【０００６】
この発明によれば、前記誘虫灯から照射される誘虫光は、前記筐体の開口面を介して下方にのみ照射されるので、前記筐体下方の虫のみを誘引することができ、遠方から虫を呼び寄せることを防止できる。ゆえに、前記捕虫具が設置される店舗の照明により寄ってきた虫のみを捕獲できる。そして、前記誘虫光に誘引された虫は、前記筐体下部の開口面から誘虫灯に向かおうとして、前記開口面から前記筐体内に入り込んで案内通路の下部から上部へ向かうが、前記吸引手段からの吸引力により吸引通路内に吸引されて、前記吸引通路に配設した前記捕虫部で捕獲される。前記吸引手段による吸引を停止した後は吸引力が消失して前記捕虫部の接続部は閉じられるので、前記捕虫部に捕獲された虫が外部に抜け出すことを防止できる。
【０００７】
ここで、前記吸引手段により吸引力を作用させる領域を前記案内通路の上部に限定しているので、前記吸引手段に必要な吸引力を抑制することができ、これにより、装置の小型化や消費電力の抑制を図ることができる。また、前記筐体の下方を飛行する虫が自然に前記筐体内の案内通路上部に移動して、案内通路上部に集中的に吸引力を作用させる構成となっているので、虫の捕獲効率を上昇することができる。さらに、吸引された虫は前記捕虫部に捕獲されるので虫の散乱を防止でき、前記捕虫部を定期的に交換をすればよいので、取扱いも容易であり、衛生的に良好な状態を維持できる。
【０００８】
請求項２に係る発明は、請求項１に記載のものであって、前記誘虫灯からの誘虫光の透過を許容しつつ、前記誘虫灯と前記開口面とを隔絶するように前記筐体内部を仕切る仕切部をさらに備え、前記案内通路を前記仕切部によって前記筐体内に形成することを特徴とする。
【０００９】
この発明によれば、前記誘虫灯から照射される誘虫光は、前記仕切部および筐体の開口面を介して下方にのみ照射されるので、前記筐体下方の虫のみを誘引することができ、遠方から虫を呼び寄せることを防止できる。そして、前記誘虫光に誘引された虫は、前記筐体下部の開口面から誘虫灯に向かおうとするが、前記仕切部により前記誘虫灯と前記開口面とが隔絶されているので、前記誘虫灯に近づこうとして前記仕切板に沿って前記案内通路の下部から上部へと移動することになる。前記案内通路の上部に到達した虫は、前記仕切部により、より吸引通路の近くに集められるために、吸引手段の吸引効果がより高められ、前記吸引手段からの吸引力により吸引通路内に吸引されて、前記吸引通路に配設した前記捕虫部で捕獲される。前記吸引手段による吸引を停止した後は吸引力が消失して前記捕虫部の接続部は閉じられるので、前記捕虫部に捕獲された虫が外部に抜け出すことを防止できる。
【００１０】
請求項３に係る発明は、請求項１または請求項２に記載のものであって、前記案内通路上部と前記捕虫部との間には、前記吸引通路を高さ方向に縮小させる連通部が前記筐体の幅方向に亘り形成されていることを特徴とする。
この発明によれば、前記吸引手段からの吸引力を、前記筐体の幅方向に亘り形成した連通部を介して前記案内通路上部に作用させるので、前記筐体の幅方向に亘り吸引力を略均等に作用させることができる。さらに、前記連通部は前記吸引通路を高さ方向に縮小させているので、前記連通部を介して前記案内通路上部から吸い込まれる空気の流速を高めることができ、虫の捕獲効率を上昇することができる。
【００１１】
請求項４に係る発明は、請求項１から請求項３のいずれかに記載のものであって、前記捕虫部は、前記筐体外部に連結する連結路に接続され、該連結路は、その端部を閉方向に付勢され、前記筐体外部の吸引装置と接続可能とされていることを特徴とする。
この発明によれば、前記連結路の端部は、閉方向に付勢されているので、前記捕虫部は外部と遮断されており、捕虫処理を行う毎に捕獲される虫が蓄積されていく。その後、前記連結路に前記吸引装置を接続して、前記吸引装置を作動させると、閉方向への付勢力に抗する吸引力が発生して前記連結路の端部が開通するので、前記捕虫部に捕獲されている虫を前記連結路を介して前記吸引装置に吸引させることができる。そして、前記吸引装置による吸引処理が終了した後は、前記吸引装置を停止させると前記吸引力が消失するので、前記連結部の端部は閉じられて、前記捕虫部は外部と遮断される。このように、前記捕虫部自体を交換しなくても、前記捕虫部に捕獲されている虫を容易に除去することができるので、メンテナンスをさらに簡便に行うことができる。もちろん、このような方法ではなく、捕虫網をとりつけることにより、定期的に交換することも可能である。
【発明の効果】
【００１２】
請求項１に係る発明によれば、遠くの余分な虫を呼び寄せることなく、店舗内照明によりやむを得ず集まってきた虫のみを吸引することができる。
請求項２に係る発明によれば、装置の小型化や消費電力の抑制を図ることができ、虫の捕獲効率を上昇することができる。さらに、取扱いも容易であり、衛生的に良好な状態を維持できるという効果も得られる。
請求項３に係る発明によれば、筐体の幅方向に亘り吸引力を略均等に作用させることができ、虫の捕獲効率を上昇することができる。
請求項４に係る発明によれば、メンテナンスをさらに簡便に行うことができる。
【発明を実施するための最良の形態】
【００１３】
以下、本発明の実施の形態に係る捕虫具について図面を参照して説明する。
図１は本発明の第１の実施の形態における捕虫具の構成を示す分解斜視図である。同図に示すように、本実施の形態における捕虫具１は、その外面を覆うケーシング２０を備えている。ケーシング２０は、ケース本体３と、ケース本体３の上面を覆う上面カバー４と、ケース本体３の裏面を覆う裏面カバー５と、ケース本体３の一側面を覆う側面カバー６と、ケース本体３の表面を覆う表面カバー１５と、を備えている。
【００１４】
ケース本体３は、外形を略直方体形状に形成するとともに、内部を略中空に形成している。ケース本体３には、その上面、裏面、一側面、下面がそれぞれ開口形成されているが、上面には上面カバー４、裏面には裏面カバー５、一側面には側面カバー６が、それぞれ取り付けられる。従って、ケース本体３の下部のみが、開口面８となっている。
【００１５】
ケース本体３には、上面カバー４がその一端を揺動可能に連結されている。上面カバー４の裏面には、誘虫灯２が装着されている。誘虫灯２としては、蛍光管や水銀灯などを用いることができ、例えば蠅等の小型昆虫が好む波長である３７０ｎｍ付近の波長の光を出射するものが好適である。従って、上面カバー４がケース本体３に取り付けられた状態では、誘虫灯２からの誘虫光が下方に照射される。
【００１６】
ケース本体３は、その内部に、誘虫灯２からの誘虫光の透過を許容する材料（例えば、アクリルや石英）よりなる板７を具備している。板７は、その下部をケース本体３裏面に、その上部をケース本体３表面に接触させて、ケース本体３に対して斜行した状態で配設されている。従って、板７は、誘虫灯２と開口面８とを隔絶する（仕切る）とともに、ケース本体３下部から上部に向かうにつれて狭くなる案内通路９をケース本体３内に形成している。
【００１７】
ケース本体３の表面には、略直方体形状に形成された吸引ボックス１１が装着される。吸引ボックス１１は、ケース本体３よりも小寸の外形略直方体状に形成され、その表面中央および裏面を開口形成させている。
ケース本体３の表面には、案内通路９上部の高さ位置に開口した連通路１０が形成されている。連通路１０は、その幅方向に亘り形成され、吸引ボックス１１内の空間と、案内通路９とを連通する。
【００１８】
吸引ボックス１１表面に形成した開口部１２には、箱形形状の吸引ボックス１３が収容される。吸引ボックス１３は、その表裏両面を開口形成されている。
吸引ボックス１３には、その周面（上面、下面、および両側面）を覆うように捕虫部１４が吸引ボックス１３表面側に着脱自在に装着される。本実施の形態では、捕虫部１４として捕虫網１４ａを用いている（図２参照）。捕虫網１４ａは、メッシュ部材により形成され、捕虫網１４ａ内に捕捉した虫の脱出を防止しつつ、空気の流通を許容する構成となっている。また、吸引ボックス１３の表面（換言すれば捕虫網１４ａの入口）には、フラッパ２１（図２参照）が揺動可能に装着されている。フラッパ２１は、バネ力により吸引ボックス１３表面の開口を遮断する方向（閉方向）に付勢されている。
定期的に交換する捕虫網１４ａの場合には、図２に示すような構造となり、吸引ボックスカバー１９を開閉することにより、捕虫網１４ａを吸引ボックス１３にセットすることができる。
【００１９】
そして、ケース本体３の表面は、吸引ボックス１１および吸引ボックス１３を装着した状態で、表面カバー１５により覆閉される。表面カバー１５は、吸引ボックス１１および吸引ボックス１３を内部に収容できるように、その中央部を吸引ボックス１３の外寸よりも所定寸法大きく形成しているとともに、その両端部の外寸を吸引ボックス１１よりも所定寸法大きく形成している。
【００２０】
表面カバー１５の表面には、その中央およびその両側に、開口部がそれぞれ形成されている。前記中央に形成された開口部には、吸引ボックスカバー１９が装着される。そして、前記両側に形成された開口部には、中央をくり抜かれたファン取付板１６、１６を介してファン１７、１７が取り付けられる。この状態で、それぞれのファン１７、１７の表面を覆うファンカバー１８、１８がさらに取り付けられる。
【００２１】
以上のように構成された捕虫具１の作用について説明する。
捕虫具１は、例えば図３に示すように、建家３０の軒下の柱３１にブラケット３２を介して取り付けられる。
誘虫灯２から照射される誘虫光は、板７およびケーシング２０の開口面８を介して下方にのみ照射される。これにより、ケーシング２０下方を飛行する虫のみを誘引することができ、遠方から虫を呼び寄せることを防止できる。
【００２２】
そして、誘虫光に誘引された虫は、ケーシング２０下部の開口面から誘虫灯２に向かおうとするが、板７により誘虫灯２と開口面８とが隔絶されているので、誘虫灯２に近づこうとして板７に沿って案内通路９の下部から上部へと移動することになる。
【００２３】
このとき、捕虫具１に内蔵されているファン１７、１７を回転作動させると、案内通路９から導入された空気は、連通路１０を介して、吸引ボックス１１内部、吸引ボックス１３内部、捕虫カゴ１４を通ってファン１７、１７により後方（ケーシング２０表面側）に送り出される。ここで、連通路１０、吸引ボックス１１、１３、捕虫網１４ａは吸引通路２２を構成する。
【００２４】
板７を設置した本実施の形態において、案内通路９の上部に到達した虫は、ファン１７、１７からの吸引力により吸引通路２２内に吸引されて、吸引通路２２に配設した捕虫網１４ａで捕獲される。ファン１７、１７による吸引を停止した後は吸引力が消失して捕虫網１４ａのフラッパ２１は閉じられるので、捕虫網１４ａに捕獲された虫が外部に抜け出すことを防止できる。
なお、上述の板７を設置しない場合であっても、誘引光により誘引された本体内に達した虫は、ファン１７、１７からの吸引力により吸引通路２２に吸引されて、吸引通路２２に配設した捕虫網１４ａで捕獲される。
【００２５】
ここで、本実施の形態のように板７を設けることによりファン１７、１７により吸引力を作用させる領域を案内通路９の上部に限定しているので、ファン１７、１７に必要な吸引力を抑制することができ、これにより、捕虫具１の小型化や消費電力の抑制を図ることができる。
また、ケーシング２０の下方を飛行する虫が自然にケーシング２０内の案内通路９上部に移動して、案内通路９上部に集中的に吸引力を作用させる構成となっているので、虫の捕獲効率を上昇することができる。
さらに、吸引された虫は捕虫網１４ａに捕獲されるので虫の散乱を防止でき、捕虫網１４を定ａ期的に交換をすればよいので、取扱いも容易であり、衛生的に良好な状態を維持できる。
【００２６】
また、上述したように、案内通路９上部と捕虫網１４ａとの間には、吸引通路２２を高さ方向に縮小させる連通路１０がケーシング２０の幅方向に亘り形成されている。
ファン１７からの吸引力を、ケーシング２０の幅方向に亘り形成した連通路１０を介して案内通路９上部に作用させるので、ケーシング２０の幅方向に亘り吸引力を略均等に作用させることができる。さらに、連通路１０は吸引通路２２を高さ方向に縮小させているので、連通路１０を介して案内通路９上部から吸い込まれる空気の流速を高めることができ、虫の捕獲効率を上昇することができる。
【００２７】
次に、本発明の第２の実施の形態における捕虫具について図４〜図８を用いて説明する。これらの図に示すように、本実施の形態において、捕虫部１４として捕虫カゴ１４ｂを用いている。そして、捕虫カゴ１４ｂの底面には下方に突出形成された連結路４１が連結されている。この連結路４１には、一端を回動可能に固定されて他端を鉛直下方から水平方向に移動可能に構成された蓋４２が装着されている。この蓋４２は、バネ（図示せず）により前記他端を水平方向に位置するように付勢されている。これにより、通常では、連結路４１は蓋４２によって閉じられた状態に保持されている。このように、連結路４１の端部は、閉方向に付勢されているので、捕虫カゴ１４ｂは外部と遮断されており、捕虫処理を行う毎に捕獲される虫が蓄積されていく。
【００２８】
本実施の形態において、連結路４１は、吸引装置である掃除機４５のノズル４６に接続可能な形状に形成されており、捕虫カゴ１４ｂに捕獲された虫を掃除機４５により直接吸引する構成としている。
すなわち、図８に示すように、連結路４１に掃除機４５のノズル４６を接続して、掃除機４５を作動させると、連結路４１内に閉方向への付勢力に抗する吸引力が発生する。これにより、連結路４１を閉じていた蓋４２の端部が鉛直下方向に移動させられて、連結路４１が開通する。従って、捕虫カゴ１４ｂに捕獲されている虫を連結路４１を介して掃除機４５に吸引させることができる。
【００２９】
そして、掃除機４５による吸引処理が終了した後は、掃除機４５を停止させると吸引力が消失するので、連結路４１の端部は閉じられて、捕虫カゴ１４ｂは外部と遮断される。このように、捕虫カゴ１４ｂ自体を交換しなくても、捕虫カゴ１４ｂに捕獲されている虫を容易に除去することができるので、メンテナンスをさらに簡便に行うことができる。
【００３０】
以上説明したように、本発明によれば、装置の小型化や消費電力の抑制を図ることができ、虫の捕獲効率を上昇することができる。さらに、取扱いも容易であり、衛生的に良好な状態を維持できるという効果も得られる。
なお、本発明の内容は実施の形態のみに限定されるものでないことはもちろんであり、例えば、実施の形態のようにケース本体３の幅方向に亘って連通路１０を形成すると吸引力を略均等に作用させることができる点で好ましいが、連通路１０を形成しなくても本発明は成立する。また、実施の形態のように仕切部（この場合は板７）を形成すると吸引効果がより高められる点で好ましいが、仕切部を形成しなくても本発明は成立する。また、連通部の孔径は、捕獲対象の虫の種類によって任意に設定することが可能である。また、連通部に絞り機構を設けて、孔径を可変するようにしてもよい。
【図面の簡単な説明】
【００３１】
【図１】本発明の第１の実施の形態における捕虫具の構成を示す分解斜視図である。
【図２】図１に示す捕虫具の断面図である。
【図３】図１に示す捕虫具を建家に取り付けた状態を示す斜視図である。
【図４】本発明の第２の実施の形態における捕虫具の捕虫カゴの構成を示す要部斜視図である。
【図５】本発明の第２の実施の形態における捕虫具の構成を示す正面図である。
【図６】図５に示す捕虫具の断面図である。
【図７】図５に示す捕虫具の側面図である。
【図８】図５に示す捕虫具を建家に取り付けて、掃除機による吸引処理を行う状態を示す斜視図である。
【符号の説明】
【００３２】
１…捕虫具
２…誘虫灯
７…板
８…開口面
９…案内通路
１０…連通路（連通部）
１４ａ…捕虫網（捕虫部）
１４ｂ…捕虫カゴ（捕虫部）
１７…ファン（吸引手段）
２０…ケーシング（筐体）
２１…フラッパ
２２…吸引通路
４１…連結路
４２…蓋
４５…掃除機
【図１】
0004791100.tif 000002
【図２】
0004791100.tif 000003
【図３】
0004791100.tif 000004
【図４】
0004791100.tif 000005
【図５】
0004791100.tif 000006
【図６】
0004791100.tif 000007
【図７】
0004791100.tif 000008
【図８】
0004791100.tif 000009